(57)【要約】【課題】ハウス展張用フィルム及びハウス展張用フィルムの製造方法を提供する。【解決手段】ハウス展張用フィルムにおいて、同一方形状のフィルムが４辺を一致させて重ね合わされて、その内の一つの辺の端縁同士が連続していて折り返し部２９となり折り返し部２９がハウスの棟パイプ１５に沿って配置される二重フィルム体２１と、二重フィルム体２１の重ね合わせた内面を除く表面に設けられた防滴層２３と、折り返し部２９から一定距離だけ離間して折り返し部２９と平行に二重フィルム体２１に形成され離間方向に一定幅を有する目印２５と、を設けた。【選択図】  図１
2018038319.tif 000002
【特許請求の範囲】
【請求項１】
同一方形状のフィルムが４辺を一致させて重ね合わされて、その内の一つの辺の端縁同士が連続していて折り返し部となり前記折り返し部がハウスの棟パイプに沿って配置される二重フィルム体と、
前記二重フィルム体の重ね合わせた内面を除く表面に設けられた防滴層と、
前記折り返し部から一定距離だけ離間して前記折り返し部と平行に前記二重フィルム体に形成され、前記離間方向に一定幅を有する目印と、
を具備することを特徴とするハウス展張用フィルム。
【請求項２】
請求項１記載のハウス展張用フィルムであって、
前記目印が、前記折り返し部を中心に両側に設けられることを特徴とするハウス展張用フィルム。
【請求項３】
請求項１または２記載のハウス展張用フィルムであって、
前記折り返し部から前記目印までの前記一定距離が、１〜３ｃｍであることを特徴とするハウス展張用フィルム。
【請求項４】
請求項１〜３のいずれか１項に記載のハウス展張用フィルムであって、
前記目印の前記一定幅が、１〜１０ｍｍであることを特徴とするハウス展張用フィルム。
【請求項５】
インフレーション成形により筒型成形フィルムを得るインフレーション成形工程と、
前記筒型成形フィルムを、直径を挟んで潰して帯状二重フィルム体を得る潰し工程と、
前記帯状二重フィルム体の重ね合わせた内面を除く表面に防滴剤をコーティングする防滴層形成工程と、
前記帯状二重フィルム体の一側縁をカットして他側縁を折り返し部とした二重フィルム体を得るカット工程と、
前記二重フィルム体を前記折り返し部に直交する巻き取り中心を中心にしてロール状に巻き取る巻き取り工程と、
前記インフレーション成形工程から前記巻き取り工程までのいずれかの連続する工程の工程間若しくは前記巻き取り工程において、前記折り返し部から一定距離だけ離間して前記折り返し部と平行に前記二重フィルム体に一定幅の目印を形成する目印形成工程と、
を含むことを特徴とするハウス展張用フィルムの製造方法。
【請求項６】
同一方形状の一対のフィルムを４辺が一致するように重ね合わされて、その内の一つの辺の端縁同士を接合して折り返し部とした二重フィルム体を得るフィルム接合工程と、
前記二重フィルム体の重ね合わせた内面を除く表面に防滴剤をコーティングする防滴層形成工程と、
前記二重フィルム体を前記折り返し部に直交する巻き取り中心を中心にしてロール状に巻き取る巻き取り工程と、
前記フィルム接合工程から前記巻き取り工程までのいずれかの連続する工程の工程間若しくは前記巻き取り工程において、前記折り返し部から一定距離だけ離間して前記折り返し部と平行に前記二重フィルム体に一定幅の目印を形成する目印形成工程と、
を具備することを特徴とするハウス展張用フィルムの製造方法。
【発明の詳細な説明】
【技術分野】
【０００１】
本発明は、農業用ハウス等に用いられるハウス展張用フィルム及びハウス展張用フィルムの製造方法に関する。
【背景技術】
【０００２】
農業用フィルムはハウスの大型化にともない、４ｍを超える広幅フィルムが主流になっている。この農業用フィルムには、ハウスの内側となる面に、防曇処理や流滴処理を施すことにより防滴層が設けられる。広幅化が進むと、ハウスにフィルムを展張する際、幅方向の位置合わせが困難となり、展張後に幅方向にずらす作業を強いられ、フィルムに擦過傷を生じ、フィルム内面の防滴性を損なったり、フィルムが破れやすくなったりしてしまう。そこで、特許文献１にはフィルムの長さ方向に複数の標示線を設けた農業用被覆シートが開示されている。また、特許文献２には扁平化した円筒状フィルムの幅方向中央部を溶着し、この溶着部とハウスの棟を位置合わせし、溶着部に沿ってその左右で一方のフィルムのみを切り離し、ハウスに展張するハウス展張用フィルムが開示されている。
【先行技術文献】
【特許文献】
【０００３】
【特許文献１】実公昭４７−２３５５３号公報
【特許文献２】特開平１０−２８４８３号公報
【発明の概要】
【発明が解決しようとする課題】
【０００４】
しかしながら、特許文献１の農業用被覆シートは、標示線が多すぎるため、光線透過率を下げてしまい、植物の生育に悪影響を与えかねない。また、特許文献２のハウス展張用フィルムは、円筒状フィルムをロール状に巻いた際、溶着部とフィルムの外面との間で擦れて、防滴性を損なったり、フィルム表面に多数の擦過傷を生じやすい、という問題がある。また、このハウス展張用フィルムは、現地で溶着部に沿って左右で一方のフィルムを切り離す必要があり、展張作業に余計な労力を要する問題もある。
【０００５】
本発明は上記状況に鑑みてなされたもので、その目的は、ハウスへの展張を行いやすく、また展張時の位置合わせを容易とする、広幅なハウス展張用フィルム及びハウス展張用フィルムの製造方法を提供することにある。
【課題を解決するための手段】
【０００６】
次に、上記の課題を解決するための手段を、実施の形態に対応する図面を参照して説明する。
本発明の請求項１記載のハウス展張用フィルム１００は、同一方形状のフィルムが４辺を一致させて重ね合わされて、その内の一つの辺の端縁同士が連続していて折り返し部２９となり、該折り返し部２９がハウスの棟パイプ１５に沿って配置される二重フィルム体２１と、
前記二重フィルム体２１の重ね合わせた内面を除く表面に設けられた防滴層２３と、
前記折り返し部２９から一定距離だけ離間して前記折り返し部２９と平行に前記二重フィルム体２１に形成され、前記離間方向に一定幅を有する目印２５と、
を具備することを特徴とする。
【０００７】
このハウス展張用フィルム１００では、最初の幅方向半分の展張において、折り返し部２９が棟パイプ１５に一致して迅速に位置決めされるので、何度も位置あわせが強いられることによる傷つきが生じにくい。また、後の幅方向半分の展張においても、折り返し部２９で既に位置決めがなされているので、上層の未展張側を垂らすのみで迅速に展張が完了する。この場合も、位置あわせを行うことなく、未展張側をアーチパイプ１３等に載せることができる。そのため、フィルム自体や防滴層２３の擦れによる機能低下を抑制できる。また、ハウス展張用フィルム１００は、棟パイプ１５に位置あわせするための目印２５が、棟パイプ１５に沿う折り返し部２９の近傍のみに設けられるので、外光の遮断を最小限に抑制することができる。
【０００８】
本発明の請求項２記載のハウス展張用フィルム１００は、請求項１記載のハウス展張用フィルム１００であって、
前記目印２５が、前記折り返し部２９を中心に両側に設けられることを特徴とする。
【０００９】
このハウス展張用フィルム１００では、折り返し部２９を境に、一対の目印２５が両側に設けられる。ハウス展張用フィルム１００は、一対の平行な目印２５の間に、棟パイプ１５が位置するように位置あわせされることにより、棟パイプ１５に対する位置ズレを生じにくくできる。また、展張前の二重フィルム体２１のどちらの面からハウス１１へ載置しても、折り返し部２９の近傍に目印２５が表出して視認できることになるので、位置あわせを確実に行うことができる。
【００１０】
本発明の請求項３記載のハウス展張用フィルム１００は、請求項１または２記載のハウス展張用フィルム１００であって、
前記折り返し部２９から前記目印２５までの前記一定距離が、１〜３ｃｍであることを特徴とする。
【００１１】
このハウス展張用フィルム１００では、折り返し部２９から目印２５までの距離が１〜３ｃｍであることで、目印２５の形成位置として形成しやすく、また、折り返し部２９から目印２５までの距離が棟パイプ１５に沿わせやすく且つ視認性を低下させることなく、展張の作業性を向上させる。これらは、特に一対の目印２５が設けられた際に顕著となり、折り返し部２９を挟んで両側に目印２５を位置させ、これら一対の目印２５間に棟パイプ１５を沿わせることができる。
【００１２】
本発明の請求項４記載のハウス展張用フィルム１００は、請求項１〜３のいずれか１つに記載のハウス展張用フィルム１００であって、
前記目印２５の前記一定幅が、１〜１０ｍｍであることを特徴とする。
【００１３】
このハウス展張用フィルム１００では、目印２５が容易に視認でき、すなわち１ｍｍ以下となったときの視認性の低下が生じない。また、目印２５が１０ｍｍ以上となったときの外光の遮断を抑制できる。
【００１４】
本発明の請求項５記載のハウス展張用フィルム１００の製造方法は、インフレーション成形により筒型成形フィルム３１を得るインフレーション成形工程と、
前記筒型成形フィルム３１を、直径を挟んで潰して帯状二重フィルム体３３を得る潰し工程と、
前記帯状二重フィルム体３３の重ね合わせた内面を除く表面に防滴剤をコーティングする防滴層形成工程と、
前記帯状二重フィルム体３３の一側縁をカットして他側縁を折り返し部２９とした二重フィルム体２１を得るカット工程と、
前記二重フィルム体２１を前記折り返し部２９に直交する巻き取り中心を中心にしてロール状に巻き取る巻き取り工程と、
前記インフレーション成形工程から前記巻き取り工程までのいずれかの連続する工程の工程間若しくは前記巻き取り工程において、前記折り返し部２９から一定距離だけ離間して前記折り返し部２９と平行に前記二重フィルム体２１に一定幅の目印２５を形成する目印形成工程と、
を含むことを特徴とする。
【００１５】
このハウス展張用フィルム１００の製造方法では、インフレーション成形工程により筒型成形フィルム３１が得られる。筒型成形フィルム３１は、潰し工程により直径を挟んで潰されて帯状二重フィルム体３３となる。帯状二重フィルム体３３は、延在方向の両端縁が繋がった管状となっている。帯状二重フィルム体３３は、防滴層形成工程において、表面に防滴剤がコーティングされる。防滴層２３の形成された筒型成形フィルム３１は、カット工程において、一方の端縁２７がカットされ、折り返し部２９のみで連続した一枚のフィルムが二重に折り畳まれた二重フィルム体２１となる。防滴層２３が形成された二重フィルム体２１は、巻き取り中心を中心に巻き取られてロール体となる。ハウス展張用フィルム１００は、潰し工程と防滴層形成工程との間、防滴層形成工程とカット工程との間、カット工程と巻き取り工程との間のいずれかの工程間、若しくは巻き取り工程内において、折り返し部２９から一定距離だけ離間した一定幅の目印２５が形成される。
【００１６】
本発明の請求項６記載のハウス展張用フィルム２００の製造方法は、同一方形状の一対のフィルムを４辺が一致するように重ね合わされて、その内の一つの辺の端縁同士を接合して折り返し部２９とした二重フィルム体３５を得るフィルム接合工程と、
前記二重フィルム体３５の重ね合わせた内面を除く表面に防滴剤をコーティングする防滴層形成工程と、
前記二重フィルム体３５を前記折り返し部２９に直交する巻き取り中心を中心にしてロール状に巻き取る巻き取り工程と、
前記フィルム接合工程から前記巻き取り工程までのいずれかの連続する工程の工程間若しくは前記巻き取り工程において、前記折り返し部２９から一定距離だけ離間して前記折り返し部２９と平行に前記二重フィルム体３５に一定幅の目印２５を形成する目印形成工程と、
を具備することを特徴とする。
【００１７】
このハウス展張用フィルム２００の製造方法では、押出成形やカレンダー成形で得られる同一方形状の一対のフィルムを４辺が一致するように重ね合わされて、その内の一つの辺の端縁同士を接合するフィルム接合工程が設けられる。このフィルム接合工程により、接合部４１を折り返し部２９とした二重フィルム体３５が得られる。二重フィルム体３５は、防滴層形成工程において、表面に防滴剤がコーティングされる。防滴層が形成された二重フィルム体３５は、巻き取り中心を中心に巻き取られてロール体となる。ハウス展張用フィルム２００は、フィルム接合工程と防滴層形成工程との間、防滴層形成工程と巻き取り工程との間のいずれかの工程間、若しくは巻き取り工程内において、折り返し部２９から一定距離だけ離間した一定幅の目印２５が形成される。
【発明の効果】
【００１８】
本発明に係る請求項１記載のハウス展張用フィルムによれば、折り返し部をハウスの棟パイプに沿わせるとともに、この折り返し部に沿って平行に形成される目印によって、位置合わせが行いやすく作業性が向上することとなり、フィルム表面の防滴層の傷つきを防止でき、またフィルム自体の擦過傷も防止できる。さらに、このハウス展張用フィルムによれば、折り返し部を中心に二つ折りの構造であることから、一方の端縁部分を展開させるのみで展張でき、ハウスの天頂部分から両側面を幅継ぎ無しで覆うことができ、その作業を簡便に行うことが可能となる。また、目印がフィルム表面の折り返し部から一定距離離間し一定幅に形成されることから、フィルム展張状態では、この目印が棟パイプに重なるような位置となり、また目印の形成面積がフィルム面積に比して小さく、光線透過率を低下させることがない。
【００１９】
本発明に係る請求項２記載のハウス展張用フィルムによれば、目印が折り返し部を中心に一対設けられることにより、片側だと揃え方によって生じる棟パイプからのズレを防止することができる。すなわち、一対の目印のそれぞれで棟パイプに沿わせる位置あわせを行え、フィルムの展張作業時の目標を確実にすることが可能となる。また、一対の目印は、折り返し部の両側となることで、二重フィルム体の状態で両面に目印が形成されていることとなり、展張前の二重フィルム体のどちらの面からハウスへ載置しても、折り返し部の近傍に目印が表出して視認できることになるので、位置あわせを確実に行うことができる。
【００２０】
本発明に係る請求項３記載のハウス展張用フィルムによれば、折り返し部と目印とが一定の距離とされるとともに、その距離が一般的な棟パイプの直径程度とされ、棟パイプとの平行度を視認しやすくできる。特に目印を一対設けた構成とすることで、一方の、目印に対して他方の目印を補助として位置あわせを行うことが可能となるとともに、折り返し部を挟んで両側に目印を位置させることとなり、これら一対の目印間に棟パイプを沿わせることができる。
【００２１】
本発明に係る請求項４記載のハウス展張用フィルムによれば、目印の視認性を確保し、フィルム展張の作業性を向上できるとともに、光線透過率の低下を抑制できる。
【００２２】
本発明に係る請求項５記載のハウス展張用フィルムの製造方法によれば、継ぎ目が無く、表面に防滴層が設けられ、二重フィルム体の折り返し部から一定距離で目印が形成されたハウス展張用フィルムを、傷つけずにロール状に巻き取った状態で容易に得ることができる。
【００２３】
本発明に係る請求項６記載のハウス展張用フィルムの製造方法によれば、押出成形などで得られる同一方形状の一対のフィルムを４辺が一致するように重ね合わせ、その内の一つの辺の端縁同士を接合して得られる二重フィルム体の表面に防滴層が設けられ、二重フィルム体の折り返し部から一定距離で目印が形成されたハウス展張用フィルムを、傷つけずにロール状に巻き取った状態で容易に得ることができる。
【図面の簡単な説明】
【００２４】
【図１】本実施形態のハウス展張用フィルムをハウスとともに表した斜視図である。
【図２】図１のハウス展張用フィルムを要部拡大図とともに表した概略斜視図である。
【図３】図２に示したハウス展張用フィルムの上側の端縁の一部が捲られた状態の斜視図である。
【図４】図３のハウス展張用フィルムが一枚に拡げられた斜視図である。
【図５】インフレーション成形工程、潰し工程、防滴層形成工程を説明する工程図である。
【図６】カット工程、目印形成工程、巻き取り工程を説明する工程図である。
【図７】フィルム接合工程の説明図である。
【図８】フィルム接合工程を含む製造方法により製造されたハウス展張用フィルムの斜視図である。
【発明を実施するための形態】
【００２５】
以下、本発明に係る実施形態を図面を参照して説明する。
［第１実施形態］
図１は本実施形態のハウス展張用フィルムをハウスとともに表した斜視図である。
本実施形態に係るハウス展張用フィルム１００は、農業用や園芸用のハウス、すなわちパイプハウス１１に用いられる。
【００２６】
パイプハウス１１は、複数のアーチパイプ１３を有する。アーチパイプ１３は、略逆Ｕ字状であり、パイプハウス１１の長手方向（棟方向）の一端から他端へ向けて所要の間隔をおいて地面に立設する。それぞれのアーチパイプ１３は、棟の部分に棟方向に通しで入れられる棟パイプ１５によって固定される。アーチパイプ１３と棟パイプ１５とは、例えばパイプクロス部品（図示略）によって固定される。
【００２７】
アーチパイプ１３は、棟パイプ１５を挟む左右の肩の部分に、肩パイプ１７が棟方向に通しで入れられる。さらに、アーチパイプ１３は、棟パイプ１５と左右の肩パイプ１７との間に、母屋パイプ１９が棟方向に通しで入れられる。また、アーチパイプ１３の左右の下端には、地面の軟弱など必要に応じ沈下防止パイプがグランドレベルに棟方向に通しで入れられる。
【００２８】
このようにして組まれたパイプによる構造体は、屋根面や胴側面に屋根材や胴縁材を連設して単棟式や連棟式のパイプハウス１１を構築する。パイプハウス１１は、外面に、透光性を有するハウス展張用フィルム１００を被覆して日中の太陽光線をハウス内に透過させながらハウス内を加温して作物の促成栽培や半促成栽培を行う。
【００２９】
図２は図１のハウス展張用フィルムを要部拡大図とともに表した概略斜視図である。
ハウス展張用フィルム１００は、二重フィルム体２１と、防滴層２３（図５参照）と、目印２５と、を有する。
【００３０】
二重フィルム体２１は、同一方形状のフィルムが４辺を一致させて重ね合わされてその内の一つの辺の端縁同士が接合し連続している。フィルムの素材としては、ポリオレフィン系樹脂よりなるが、このポリオレフィン系樹脂としては、α−オレフィンの単独重合体やα−オレフィンを主成分とする異種単量体との共重合体であり、例えば、プロピレン単独重合体やエチレン、１−ブチレン、１−ペンテン、１−ヘキセンとの共重合体であるプロピレン系重合体、エチレン単独重合体や１−ブテン、１−ペンテン、１−ヘキセン、４−メチル−１−ペンテン、１−オクテン、酢酸ビニルとの共重合体であるエチレン系重合体が挙げられ、これらの樹脂は単独で用いても、２種以上を混合して用いてもよい。
【００３１】
二重フィルム体２１は、一つの端縁同士と平行な一対の端縁２７が、それぞれ幅方向の端末となる。二重フィルム体２１は、幅方向が、例えば３〜４ｍで形成される。従って、展張されたときの幅方向は、６〜８ｍとなる。連続した部分（一つの辺の端縁部分）は、折り返し部２９となる。この折り返し部２９が、ハウス１１の棟パイプ１５に沿って配置される。
【００３２】
防滴層２３は、二重フィルム体２１の重ね合わせた内面を除く表面に設けられる。防滴層２３は、二重フィルム体２１に、防曇処理や流滴処理を施したものとすることができる。二重フィルム体２１は、これら機能を付与するために、各種防曇剤、ハイドロタルサイト類やアルミニウムシリケート等の保温剤、防霧剤、熱安定剤、酸化防止剤、ヒンダードアミン系光安定剤、紫外線吸収剤、スリップ剤等をコーティングすることができる。
【００３３】
目印２５は、折り返し部２９から一定距離Ｄだけ離間して折り返し部２９と平行に二重フィルム体２１に形成される。また、この目印２５は、離間方向に一定幅Ｍを有する。
【００３４】
本実施形態において、ハウス展張用フィルムは、折り返し部２９から目印２５までの一定距離Ｄが、１〜３ｃｍに設定される。
【００３５】
また、本実施形態においては、この目印２５の一定幅Ｍが、１〜１０ｍｍに設定される。
【００３６】
また、ハウス展張用フィルムでは、目印２５が、折り返し部２９を中心に両側に設けられることが好ましい。以下、本実施形態では、目印２５が、折り返し部２９を中心に両側に設けられる場合を例に説明する。
【００３７】
図３は図２に示したハウス展張用フィルムの上側の端縁の一部が捲られた状態の斜視図である。
ハウス展張用フィルム１００は、パイプハウス１１に展張させる際に、二つ折りに折り畳まれて互いに密着している状態から引き離すようにして開反させる。この際、二重フィルム体２１は、一対の端縁２７のいずれかに所定量のズレを設けておけば、引き剥がし作業を容易にすることができる。
【００３８】
図４は図３のハウス展張用フィルムが一枚に拡げられた斜視図である。
両端末となった一対の端縁２７が引き剥がされ、一枚となったハウス展張用フィルム１００は、図４の下面側が防滴層２３となる。すなわち、この防滴層２３は、パイプハウス１１の内側に配置されることになる。一対の目印２５は、折り返し部２９を中心に、両側に平行に配置されることになる。ハウス展張用フィルム１００は、パイプハウス１１に展張した後、この一対の目印２５の間に、棟パイプ１５が位置するように、微調整が容易に可能となる。
【００３９】
次に、第１実施形態に係るハウス展張用フィルム１００の製造方法を説明する。
図５はインフレーション成形工程、潰し工程、防滴層形成工程を説明する工程図、図６はカット工程、目印形成工程、巻き取り工程を説明する工程図である。
本実施形態に係るハウス展張用フィルムの製造方法は、インフレーション成形工程と、潰し工程と、防滴層形成工程と、カット工程と、巻き取り工程と、目印形成工程と、を有する。
【００４０】
インフレーション成形工程は、インフレーション成形により図５（ａ）に示す筒型成形フィルム３１を得る。
潰し工程は、図５（ｂ）に示すように、筒型成形フィルム３１を、直径を挟んで潰して帯状二重フィルム体３３を得る。
防滴層形成工程は、図５（ｃ）に示すように、帯状二重フィルム体３３の重ね合わせた内面を除く表面に防滴剤をコーティングする。
【００４１】
なお、これらインフレーション成形工程、潰し工程、防滴層形成工程は、一連の工程で処理を行うことができる。すなわち、まず、インフレーション法にて筒状に形成し、筒型成形フィルム３１を得る。この際、フィルムは、押出機に取り付けられているインフレーションダイ（口金）から押し出されるとともに、内側より空気が送り込まれ、所定の直径に膨張されて、成形直後は、筒状に形成される。次いで、筒型成形フィルム３１が、ニップロールに挟まれて引き取られる。筒型成形フィルム３１は、外周面となる両面にコロナ放電処理が施される。その後に、防曇剤などの改質剤の入った槽を通過する。その後、改質剤を乾燥させることで筒型成形フィルム３１の表面に塗膜を形成することができる。以上により、防滴層形成工程までが終了する。
【００４２】
カット工程は、図６（ａ）に示すように、帯状二重フィルム体３３の一側縁をカットして、他側縁を折り返し部２９とした二重フィルム体２１を得る。カット工程では、カッターなどの切断手段を用いて潰された筒状の二重フィルム体３３の一方の端縁２７を切断する。この切断は、フィルムを、成形直後の略断面円形な筒状の状態からニップローラにて圧着した扁平な状態に畳むと同時に、畳まれた両側縁に位置する両折り目の一方の折り返し部２９に沿ってカッターなどの切断手段を前記ニップロールに引き取られる方向である縦方向に入れることで行うことができる。
【００４３】
巻き取り工程は、図６（ｃ）に示すように、二重フィルム体２１を折り返し部２９に直交する巻き取り中心を中心にしてロール状に巻き取る。二重折りにより折り畳まれた二重フィルム体２１は、紙管を芯として、巻き取られ巻回状態とされる。この巻回状態とされたハウス展張用フィルム１００は、保管・輸送の行われる原反となる。
【００４４】
目印形成工程は、インフレーション成形工程から巻き取り工程までのいずれかの連続する工程の工程間若しくは巻き取り工程において行われる。本実施形態では、カット工程（図６（ａ）参照）と、巻き取り工程（図６（ｃ）参照）との間で行われる。目印形成工程は、図６（ｂ）に示すように、折り返し部２９から一定距離Ｄだけ離間して、折り返し部２９と平行に二重フィルム体２１に一定幅Ｍの目印２５を形成する。この目印２５は、例えば線（ライン）とすることができる。ラインは、連続したラインである実線でも断続的なラインである破線、或いは所定ピッチのマークやドット等であってもよい。この目印２５は、例えば目印印刷加工機により行われる。マークとしては、遮光作用が低く、位置あわせが容易となる例えば「＋印」等を挙げることができ、また、この「＋印」と実線や破線とを組み合わせたものとしてもよい。
【００４５】
また、目印２５は、例えば青色等の任意の色で行うことができる。さらに、目印２５は、半透明、不透明のいずれであってもよい。
【００４６】
なお、目印形成工程では、同一工程内において、或いはその前後工程において、製造メーカや商品名、ブランド名、製品番号などを付加する文字印刷工程が設けられることとしてもよく、例えば目印２５と並設して所定の間隔ごとに文字を形成させたり、或いは、文字と目印２５とを交互にライン状に形成することとしてもよい。
【００４７】
次に、上記した構成の作用を説明する。
本実施形態に係るハウス展張用フィルム１００は、ロール体として巻き取られたハウス展張用フィルム１００が、ロール体から繰り出される。繰り出されたハウス展張用フィルム１００は、繰り出し方向が棟パイプ１５に沿う向きでハウスに載置される。載置位置は、目印２５の延在方向を棟パイプ１５に沿わせて位置決めする。ハウス展張用フィルム１００は、目印２５を棟パイプ１５に沿わせた状態で、ハウスの幅方向であるアーチパイプ１３の延在方向、すなわち棟パイプ１５に直交する方向の略半分を覆うことになる。
【００４８】
この際、ハウス展張用フィルム１００は、二重フィルム体２１の下層側の防滴層２３がハウスに接する。つまり、防滴層２３は、ハウスの内側（内面）となる。なお、二重フィルム体２１の上層側の防滴層２３は上面で表出している。ハウスの幅方向の略半分を覆ったハウス展張用フィルム１００は、二重フィルム体２１の上層側の端縁２７が捲られ、ハウスの幅方向の未展張側に拡げられる。これにより、ハウス展張用フィルム１００は、折り返し部２９を中心に、この折り返し部２９がハウスの天頂に位置して、両端縁がハウスの幅方向両側に垂れるように載せられ、ハウス内面に防滴層２３が配置された状態で展張が完了する。
【００４９】
このハウス展張用フィルム１００では、最初の幅方向半分の展張において、折り返し部２９が棟パイプ１５に一致して迅速に位置決めされるので、何度も位置あわせが強いられることによる防滴層２３の傷つきが生じにくい。また、後の幅方向半分の展張においても、折り返し部２９で既に位置決めがなされているので、上層の未展張側を被せ垂らすのみで迅速に展張が完了する。この場合も、位置あわせを行う必要がなく、未展張側をアーチパイプ１３等に載せることができる。そのため、フィルム自体や防滴層２３の擦れによる機能低下を抑制できる。また、ハウス展張用フィルム１００は、棟パイプ１５に位置あわせするための目印２５が、折り返し部２９の近傍のみに設けられるので、太陽光の遮断を最小限に抑制することができる。
【００５０】
また、ハウス展張用フィルム１００は、折り返し部２９を境に、一対の目印２５が両側に設けられる。ハウス展張用フィルム１００は、一対の平行な目印２５の間に、棟パイプ１５が位置するように位置あわせされることにより、棟パイプ１５に対する位置ズレを生じにくくできる。その結果、目印２５が折り返し部２９を中心に一対設けられることにより、片側だと揃え方によって生じる棟パイプ１５からのズレを防止することができる。また、目印２５が一対とされることで、二重フィルム体２１をハウスに載せる際に、どちらを上にしても目印２５が視認可能な状態となり、位置あわせを容易なものとする。
【００５１】
また、ハウス展張用フィルム１００は、折り返し部２９から目印２５までの距離が１〜３ｃｍであることで、目印２５の形成位置として形成しやすく、また、折り返し部２９から目印２５までの距離が棟パイプ１５に沿わせやすく且つ視認性を低下させることなく、展張の作業性を向上させる。これらは、特に一対の目印２５が設けられた際に顕著となり、折り返し部２９を挟んで両側に目印２５を位置させ、棟パイプ１５との平行度を視認しやすくでき、これら一対の目印２５間に棟パイプ１５を沿わせることができる。
【００５２】
また、ハウス展張用フィルム１００は、目印２５が１ｍｍ以下となったときの視認性の低下が生じない。目印２５が１０ｍｍ以上となったときの外光の遮断を抑制できる。その結果、展張作業時の目印２５の視認性を確保し、且つ展張後の光線透過率の低下を抑制できる。
【００５３】
本実施形態に係るハウス展張用フィルム１００の製造方法では、インフレーション成形工程により筒型成形フィルム３１が得られる。筒型筒型成形フィルム３１は、潰し工程により直径を挟んで潰されて帯状二重フィルム体３３となる。帯状二重フィルム体３３は、延在方向の両端縁が繋がった管状となっている。帯状二重フィルム体３３は、防滴層形成工程において、表面に防滴剤がコーティングされる。防滴層２３の形成された筒型成形フィルム３１は、カット工程において、一方の端縁２７がカットされ、折り返し部２９のみで連続した一枚のフィルムが二重に折り畳まれた二重フィルム体２１となる。防滴層２３が形成された二重フィルム体２１は、巻き取り中心を中心に巻き取られてロール体となる。
【００５４】
このハウス展張用フィルム１００の製造方法では、特に、インフレーション成形の後、一方の端縁２７を切断し、二重フィルム体２１を得ることが特徴の一つとなる。
【００５５】
そして、ハウス展張用フィルム１００は、潰し工程と防滴層形成工程との間、防滴層形成工程とカット工程との間、カット工程と巻き取り工程との間のいずれかの工程間、若しくは巻き取り工程内において、折り返し部２９から一定距離Ｄだけ離間した一定幅Ｍの目印２５が形成される。
【００５６】
この目印形成工程は、フィルムや防滴剤の特性により変わる。すなわち、印刷インクと、防滴剤（コーティング剤）の素材の違いにより、目印２５の印刷インクが溶けだす場合がある。この場合、滲みが生じたり、印刷不可能となる虞が有る。その対策として、ハウス展張用フィルム１００の製造方法では、防滴層形成工程の前に目印形成工程を設けたり、防滴層形成工程の後に乾燥工程などを設けてから目印形成工程を行ったりして、目印形成工程の順番を適宜変えることができる。
【００５７】
［第１実施形態の変形例］
次に、本発明に係るハウス展張用フィルムの製造方法の変形例を説明する。
このハウス展張用フィルムの製造方法は、図示は省略するが、特に、平面状に成形、例えば押出成形またはカレンダー成形の後、二つ折りとし、二重フィルム体を得ることが特徴の一つとなる。
このハウス展張用フィルムの製造方法では、広幅のフィルムを成形した後に、成形方向の中央を折り、二つ折りにして二重フィルム体を得るので、上述したインフレーション成形工程や潰し工程，カット工程が不要となり、二つ折り工程のみとなるので、製造工程及び製造設備を簡素にすることができる。  
【００５８】
［第２実施形態］
次に、本発明の第２実施形態を説明する。
図７はフィルム接合工程の説明図である。
このハウス展張用フィルム２００の製造方法では、特に、２枚のフィルムの一側同士を接合し、二重フィルム体３５を得ることが特徴の一つとなる。
【００５９】
すなわち、本実施形態のハウス展張用フィルム２００の製造方法は、フィルム接合工程を有する。フィルム接合工程は、図７に示す同一方形状の一対のフィルム３７を４辺が一致するように重ね合わされる。その内の一つの辺の端縁同士を、例えば熱溶着接合機３９等により接合して、その接合部４１を折り返し部２９とした二重フィルム体３５を得る。目印形成工程は、目印印刷加工機４３を用いて、フィルム接合工程と同時に、または、フィルム接合工程と巻き取り工程との工程間、若しくは巻き取り工程内において、折り返し部２９から一定距離Ｄだけ離間した一定幅Ｍの目印２５が形成される。他の防滴層形成工程と、巻き取り工程と、は上記第１実施形態と同様である。
【００６０】
図８はフィルム接合工程を含む製造方法により製造されたハウス展張用フィルムの斜視図である。
このようにして製造されたハウス展張用フィルム２００は、同一方形状のフィルムが４辺を一致させて重ね合わされてその内の一つの辺の端縁同士が接合部４１により連続していて折り返し部２９となり、この折り返し部２９がハウスの棟パイプ１５に沿って配置される二重フィルム体３５と、二重フィルム体３５の重ね合わせた内面を除く表面に設けられた防滴層２３と、折り返し部２９から一定距離Ｄだけ離間して折り返し部２９と平行に二重フィルム体３５に形成され離間方向に一定幅Ｍを有する目印２５と、を備えるものとなる。
【００６１】
この第２実施形態のハウス展張用フィルム２００の作用は、上記第１実施形態のハウス展張用フィルム１００と同様となる。
【００６２】
また、このハウス展張用フィルム２００の製造方法では、上記のインフレーション成形工程とは異なる成形工程とされ、すなわち、押出成形やカレンダー成形にて得られる同一方形状２枚のフィルムを対として４辺が一致するように重ね合わされて、その内の一つの辺の端縁同士を接合するフィルム接合工程が設けられる。このフィルム接合工程により、接合部４１を折り返し部２９とした二重フィルム体３５が得られる。従って、このハウス展張用フィルム２００の製造方法では、第１実施形態で示した筒型成形フィルム３１を成形するための円形の口金を備える設備でなはく、二重フィルム体３５の幅方向の長さを有する方形状のフィルムが成形できる設備が準備できればよい。
【００６３】
このことから、フィルム成形装置は、二重フィルム体３５の幅長の口金を有する成形機であれば製造が可能になる。従って、筒型成形フィルム３１を成形する場合に比べ、設備としては小型のフィルム成形装置を用いることで得ることができる。他の工程については上記第１実施形態と同様の作用である。
【００６４】
その結果、第２実施形態のハウス展張用フィルム２００の製造方法によれば、インフレーション成形などの製造設備に比べて比較的小規模な押出成形やカレンダー成形などの製造設備で、表面に防滴層２３が設けられ、二重フィルム体３５の折り返し部２９から一定距離Ｄで目印２５が形成されたハウス展張用フィルム２００を、傷つけずにロール状に巻き取った状態で容易に得ることができる。
【００６５】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００６６】
例えば上記の構成例では、目印２５が一対である場合を説明したが、本発明の構成は、目印２５を一つの構成としてもよい。これにより、ハウス展張用フィルムは、目印形成工程における目印印刷加工機を簡略化でき、また、光線透過率をさらに向上させることができる。
【００６７】
従って、本実施形態に係るハウス展張用フィルム１００，２００によれば、光線透過率を向上させることができ、位置合わせが行いやすく展張作業性が向上することにより防滴層の傷つき、フィルムの損傷を防止できる。
【００６８】
本実施形態に係るハウス展張用フィルム１００，２００の製造方法によれば、継ぎ目が無く、表面に防滴層２３が設けられ、折り返し部２９から一定距離Ｄで目印２５が形成されたハウス展張用フィルム１００，を、傷つけずにロール状に巻き取った状態で容易に得ることができる。
【符号の説明】
【００６９】
１１…パイプハウス
１５…棟パイプ
２１，３５…二重フィルム体
２３…防滴層
２５…目印
２７…端縁
２９…折り返し部
３１…筒型成形フィルム
３３…帯状二重フィルム体
１００，２００…ハウス展張用フィルム
Ｄ…一定距離
Ｍ…一定幅
【図１】
2018038319.tif 000003
【図２】
2018038319.tif 000004
【図３】
2018038319.tif 000005
【図４】
2018038319.tif 000006
【図５】
2018038319.tif 000007
【図６】
2018038319.tif 000008
【図７】
2018038319.tif 000009
【図８】
2018038319.tif 000010